(57)【要約】【課題】包装用テープを必要な長さだけ自動切断させる自動テープカッターに関し、より詳しくは、切断されたテープを少ない力でより楽に引き出せるようにして作業者に便宜を提供する自動テープカッターの切断テープ引出支援装置を提供する。【解決手段】後方にはロールテープ設置溝が、前方には切断されたテープが排出される排出孔がそれぞれ形成されている本体において、前記本体の後方を前方より高くする昇降手段が設けられている自動テープカッターの切断テープ引出支援装置。【選択図】図３
2009046306.tif 000002
【特許請求の範囲】
【請求項１】
後方にはロールテープ設置溝が、前方には切断されたテープが排出される排出孔がそれぞれ形成されている本体において、前記本体の後方を前方より高くする昇降手段が設けられることを特徴とする自動テープカッターの切断テープ引出支援装置。
【請求項２】
前記昇降手段は、前記本体の底面板に立設される板体からなることを特徴とする請求項１に記載の自動テープカッターの切断テープ引出支援装置。
【請求項３】
前記本体の前方底面の前方脚台には、傾斜面と水平面を有する台クッションが形成されることを特徴とする請求項１に記載の自動テープカッターの切断テープ引出支援装置。
【請求項４】
前記昇降手段は、前記本体の底面板に立設される棒体からなることを特徴とする請求項１に記載の自動テープカッターの切断テープ引出支援装置。
【請求項５】
前記昇降手段は、前記本体の両側側面板で上・下に動作される板体からなることを特徴とする請求項１に記載の自動テープカッターの切断テープ引出支援装置。
【請求項６】
前記昇降手段は、本体の両側側面板でヒンジピンを中心に回動できるように立設部と台部とが「Ｌ」字形状を成しながら形成されることを特徴とする請求項１に記載の自動テープカッターの切断テープ引出支援装置。
【請求項７】
前記昇降手段は、本体の両側側面板にヒンジピンを中心に回動できるように立設部と台部とが「ユ」字形状を成しながら形成されることを特徴とする請求項１に記載の自動テープカッターの切断テープ引出支援装置。
【請求項８】
前記台部には、前記本体のスイッチ溝及び差込みコンセントに対応する溝がさらに形成されることを特徴とする請求項７に記載の自動テープカッターの切断テープ引出支援装置。
【請求項９】
前記昇降手段は、側面板に垂直のネジ穴を有するボルトホルダーが形成され、前記ネジ穴に沿って締められ昇降される昇降棒からなることを特徴とする請求項１に記載の自動テープカッターの切断テープ引出支援装置。
【請求項１０】
前記昇降手段は、本体（１００）の後方に位置するテープ装着部（３００ｇ）であることを特徴とする請求項１に記載の自動テープカッターの切断テープ引出支援装置。
【請求項１１】
前記昇降手段は、本体（１００）の後方の内部に垂直に立設される一対の昇降棒（４４）が水平に設けられる作動棒（４１）によって上・下動作されることを特徴とする請求項１に記載の自動テープカッターの切断テープ引出支援装置。
【発明の詳細な説明】
【技術分野】
【０００１】
本発明は、包装用テープを必要な長さだけ自動切断させる自動テープカッターに関し、より詳しくは、切断されたテープを少ない力で容易に剥がして包装をする作業者に便宜を与えることができる自動テープカッターの切断テープ引出支援装置に関する。
【背景技術】
【０００２】
一般に、包装用自動テープカッターの一例としては、以下の文献が挙げられる。
【０００３】
［特許文献１］名称：自動テープカッターのテープ引出ガイド装置。
この特許文献１の特徴的な技術内容をみると、ロールテープの一端をローラに通し、ローラの前方の切断部により必要な長さだけ自動に切断して排出させている。
【０００４】
［特許文献２］名称：自動ロールテープカッター
この特許文献２の特徴的な技術内容をみると、前記特許文献１と同様に、ロールテープの一端をローラに通し、ローラの前方の切断部により必要な長さだけ自動に切断させている。前記特許文献１と２における必要な長さは、使用者の設定により異なる。
【特許文献１】韓国実用新案登録第２５００４１号公報
【特許文献２】韓国特許出願第２００１−３２１５３号公報
【発明の開示】
【発明が解決しようとする課題】
【０００５】
前記特許文献１と２に開示されている装置は、包装に用いられる切断テープを必要な長さだけ切断して排出するという長所があるが、切断されたテープが排出される排出孔が水平状態になっているので、剥がす作業を反復する包装作業者には不便さがあるという問題点があった。
【０００６】
切断されたテープは、排出孔によって水平状態に排出されるが、排出されたテープの一端を取って上方に上げながら剥がすとより簡単に剥がすことができる。
【０００７】
ところが、包装作業をする作業者の大部分が女性であり、切断されたテープを剥がす度に一端を少し上げる作業をせず、力を入れて水平状態で剥がしている。
【０００８】
よって、少し上げて剥がすより力が必要となる問題点があった。
【課題を解決するための手段】
【０００９】
上記目的を達成するための本発明は、後方にはロールテープ設置溝１３０が、前方には切断されたテープが排出される排出孔１１２がそれぞれ形成される本体１００において、前記本体１００の後方を前方より高くする昇降（昇・下降）手段が設けられることと、前記昇降手段は前記本体１００の底面板１０３に立設される板体からなることと、前記本体１００の前方底面の前方脚台３１０には、傾斜面３２２と水平面３２１を有する台クッション３２０が形成されることと、前記昇降手段は前記本体１００の底面板１０３に立設される棒状からなることと、前記昇降手段は前記本体１００の両側側面板１０１で上・下に動作される板体からなることと、前記昇降手段は本体１００の両側側面板１０１でヒンジピン３５を中心に回動できるように立設部３２と台部３３とが「Ｌ」字形状を成しながら形成されることと、前記昇降手段は本体１００の両側側面板１０１にヒンジピン３５を中心に回動できるように立設部３２と台部３３とが「ユ」字形状を成しながら形成されることと、前記台部３３には前記本体１００のスイッチ溝１０２ａ及び差込みコンセント１０２ｂに対応する溝３５、３６がさらに形成されることと、前記昇降手段は側面板１０１に垂直のネジ穴３９を有するボルトホルダー３８が形成され、前記ネジ穴３９に沿って締められ昇降される昇降棒３００ｆからなることと、本体１００の後方に位置するテープ装着部３００ｇであることと、本体１００の後方の内部に垂直に立設される一対の昇降棒４４が水平に設けられる作動棒４１によって上・下動作される自動テープカッターの切断テープ引出支援装置を提供する。
【発明の効果】
【００１０】
本発明は、昇降手段によって本体１００の後方を前方より高くすると同時に、排出孔１１２の入口が下方を向けるようにすることで、切断されたテープを作業者が水平に引っぱってもテープを少し上げて剥がすようになり、切断されたテープを少ない力でより楽に剥がすことができる効果がある。
【発明を実施するための最良の形態】
【００１１】
以下、添付した図面に基づき、本発明の好適な実施の形態について詳述する。
【００１２】
図１及び図２は、本発明に係る自動テープカッターの切断テープ引出支援装置を示す図であり、この自動テープカッターの切断テープ引出支援装置は、後方に設けられたロールテープ設置溝１３０と、前上部に設けられた制御部１２０と、前面に設けられたカット部１１０とを有する本体１００の、前記カット部１１０の前方に、排出ガイド手段である排出ガイド板２００が設けられる。
【００１３】
前記の排出ガイド板２００は、後方の両側に突出形成されたヒンジピン２０１が、排出孔１１２の前方の下部の両側に形成されたピンホルダー２０２と挿入結合されることによって、切断排出されるテープＴをガイドする。
【００１４】
前記本体１００の底面前方には前方脚台３１０が設けられるが、この前方脚台３１０には傾斜面３２２と水平面３２１を有する台クッション３２０が設けられる。
【００１５】
前記の台クッション３２０の中、水平面３２１は本体１００が水平状態である時に、傾斜面３２２は本体１００の後方が前方より高くなる時に使用される。
【００１６】
前記本体１００の底面後方には、ヒンジピン３０１がピンホルダー３０２にヒンジ結合される昇降手段である昇降板３００が設けられる。
【００１７】
前記昇降板３００は、図３の図示のように底面である底面板１０３の後方に埋め込まれる状態で設けられるが、下方は広く、上方は狭くなる形状の板体に形成される。
【００１８】
そして、上方の両側にはヒンジピン３０１が水平を成しながら突出形成されるが、このヒンジピン３１０は底面板１０３に一体に突出されるピンホルダー３０２に挿入結合される。
【００１９】
したがって、前記昇降板３００の広い部分を引っ張ってヒンジピン３０１を中心に回動させると、図２の図示のように後方が高くなる。
【００２０】
図４は、本発明に係る他の実施形態の昇降手段である昇降リンク３００ａを示す図であり、この昇降リンク３００ａは棒体に形成される。
【００２１】
前記昇降リンク３００ａは、上方は水平の棒体になる一方、両側が傾いた状態で切曲され、上方より下方が広く、上方には棒ホルダー３１に結合されている。
【００２２】
したがって、前記昇降リンク３００ａの棒ホルダー３１はヒンジによって回動可能になり、底面板１０３に位置していて、下方を引っぱれると下方が地面に接するようになり本体１００の後方が高くなる。
【００２３】
図５は、本発明に係る他の実施形態の昇降手段である昇降板３００ｂを示す図であり、この昇降板３００ｂは本体１００の側面板１０１の両側に形成される。
【００２４】
前記昇降板３００ｂは、上部の両側にヒンジピン３０１が水平に突出され、本体１００の側面板１０１には前記ヒンジピン３０１が挿入されるピンホルダー３０２が形成される。
【００２５】
したがって、前記昇降板３００ｂはヒンジピン３０１を中心に側面板１０１に位置していって、下向きに回動するが、この時、本体１００の後方が高くなる。
【００２６】
図６は、本発明に係る他の実施形態の昇降手段である昇降板３００ｃを示す図であり、この昇降板３００ｃは立設部３２と台部３３が「Ｌ」字形状を成しながら形成され、立設部３２の穴３４を通してヒンジピン３５を側面板１０１の穴１０１ａに締められると昇降板３００ｃはヒンジピン３５を中心に回動する。
【００２７】
前記において、立設部３２が垂直状態になると、台部３３が地面に接するようになり、本体１００の後方が高くなる。
【００２８】
前記において、本体１００の後面板１０２には、スイッチ溝１０２ａと差込みコンセント１０２ｂが並んで設けられる。
【００２９】
図７は、本発明に係る他の実施形態の昇降手段である昇降板３００ｄを示す図であり、この昇降板３００ｄは前記台部３３が一体に形成され立設部３２と台部３３とが「ユ」字形状を成す。
【００３０】
したがって、立設部３２が垂直状態になると、台部３３が地面に接するようになり本体１００の後方が高くなる。
【００３１】
図８は、本発明に係る他の実施形態の昇降手段である昇降板３００ｅを示す図であり、この昇降板３００ｅの台部３３にはスイッチ溝３５と差込みコンセント３６が形成され、使わない時、本体１００のスイッチ溝１０２ａに指を入れて操作するか、または差込みコンセント１０２ｂにプラグを差し込むことができる。
【００３２】
図９は、本発明に係る他の実施形態の昇降手段である昇降棒３００ｆを示す図であり、この昇降棒３００ｆは垂直の棒体であり、外週面にはねじが、下端部には同一中心を持つ頭部３７が形成される。
【００３３】
そして、前記本体１００の側面板１０１には、前記ねじと対応されるネジ穴３９を持つボルトホルダー３８が突出形成される。
【００３４】
したがって、前記昇降棒３００ｆをボルトホルダー３８の下方からねじ締めすると、昇降棒３００ｆが上昇又は下降するが、下降されると本体１００の後方が高くなる。
【００３５】
図１０は、本発明に係る他の実施形態の昇降手段であるテープ掛け部３００ｇを示す図であり、このテープ掛け部３００ｇは「ユ」字形状を成しながら本体１００の後方の両側壁に端部がヒンジ結合され、普段にはロールテープの下端部を支えるが、本体１００の後方を高くする場合、下向きに回転移動させ図１１の図示のように本体１００の後方を高くする。
【００３６】
図１２には、本発明に係る他の実施形態の昇降手段である昇降部材３００hを示す図であり、この昇降部材３００hは本体１００の後方の内部に垂直に一対の昇降棒４４が立設される一方、水平に作動棒４１が設置され作動棒４１の回動によって前記昇降棒４４が上部または下部に移動される。
【００３７】
したがって、前記昇降棒４４が下部に移動すると、本体１００の後方が前方より高くなる。
【００３８】
上記において、作動棒４１の一端には、本体１００の外部に位置するノブ４２が結合されて、作動棒４１は、図１３の図示のように作動棒ホルダー４３によって支持されるし、昇降棒４４は昇降棒ホルダー４５によって支持される。前記作動棒４１は表面にねじが形成される一方、前記昇降棒４４も前方にねじが形成される。
【００３９】
このように構成される本発明は、本体１００の後方に形成されたロールテープ設置溝１３０にロールに巻かれたテープを設置すると同時に、その末端をローラの間に位置させ、制御部１２０を操作して切断テープの長さ及び切断速度を設定し、昇降手段を通して本体１００の後方を高くして動作させると、切断テープがカット部１１０の排出孔１１２を通して順次排出されるが、切断されて排出孔１１２に順次排出されるテープＴを作業者が水平に引っぱってもテープＴを少し上げて剥がすようになり、切断されたテープを少ない力でより楽に剥がすことができる。
【００４０】
前記において、本体１００の後方が高くなる時には、前方脚台３１０の台クッション３２０の中、傾斜面３２２が地面に接するようになり本体１００が揺れることが予防される。
【００４１】
以上、本発明を、本発明の原理を例示するための好適な実施形態に基づいて説明し図示したが、本発明は、これらの構成及び作用に限定されるものではなく、特許請求の範囲の思想及び範疇の範囲内で、本発明についての様々な変更及び修正が可能であることを、当業者は理解されるだろう。したがって、このような全ての適切な変更及び修正とその均等物も、本発明の範囲に属するものと見なさなければならない。
【図面の簡単な説明】
【００４２】
【図１】本発明の装置が設けられた自動テープカッターの斜視図である。
【図２】本発明の装置の使用状態を示した側面図である。
【図３】図１の底面図である。
【図４】本発明の装置の他の実施形態の底面図である。
【図５】本発明の装置のまた他の実施形態の側面図である。
【図６】本発明の装置のまた他の実施形態の斜視図である。
【図７】本発明の装置のまた他の実施形態の斜視図である。
【図８】本発明の装置のまた他の実施形態の斜視図である。
【図９】本発明の装置のまた他の実施形態の斜視図である。
【図１０】本発明の装置のまた他の実施形態の平面図である。
【図１１】図１０の使用状態を示す側面図である。
【図１２】本発明の装置のまた他の実施形態の背面図である。
【図１３】本発明の装置の主要部抜粋断面図である。
【符号の説明】
【００４３】
１００  本体
１０１  側面板
１０２  後面板
１０３  底面板
３００，３００ｂ，３００ｃ，３００ｄ，３００ｅ  昇降板
３００ａ  昇降リンク
３００ｆ  昇降棒
３００ｇ  テープ掛け部
３００ｈ  昇降部材
３０１  ヒンジピン
３０２  ピンホルダー
３１０  前方脚台
３２０  台クッション
３２１  水平面
３２２  傾斜面
【図１】
2009046306.tif 000003
【図２】
2009046306.tif 000004
【図３】
2009046306.tif 000005
【図４】
2009046306.tif 000006
【図５】
2009046306.tif 000007
【図６】
2009046306.tif 000008
【図７】
2009046306.tif 000009
【図８】
2009046306.tif 000010
【図９】
2009046306.tif 000011
【図１０】
2009046306.tif 000012
【図１１】
2009046306.tif 000013
【図１２】
2009046306.tif 000014
【図１３】
2009046306.tif 000015